(57)【特許請求の範囲】
【請求項１】
隅桁と中間桁と中央桁とを有する合成樹脂製パレットにおいて、前記隅桁の外側角部に、上端部凸部、中間部凸部及び下端部凸部を形成することにより、前記上端部凸部と前記中間部凸部との間及び前記中間部凸部と前記下端部凸部との間には、それぞれ、凹部が設けられており、前記凹部は、前記隅桁の周面から、前記隅桁の外側角部の垂直中心線方向に向かって、徐々に深くなるように構成されているとともに、前記上端部凸部の前記垂直中心線付近が、下方に山形状に出っ張った上端部凸部として形成され、また、前記中間部凸部の前記垂直中心線付近が、上下方向に山形状に出っ張った中間部凸部として形成され、更に、前記下端部凸部の垂直中心線付近が、上方に山形状に出っ張った下端部凸部として形成されており、ストレッチフィルムの巻付け工程において、一巻目のストレッチフィルムが、前記上端部凸部及び前記中間部凸部の両方の凸部を覆うように巻回された際には、前記一巻目のストレッチフィルムが、前記上端部凸部及び前記中間部凸部の両方の凸部に引っ掛かるように構成されていることを特徴とする合成樹脂製パレット。
【発明の詳細な説明】
【０００１】
【発明の属する技術分野】
本発明は、物品が載置された合成樹脂製パレットを、物品ごと、ストレッチフィルムで梱包するのに適した合成樹脂製パレットに関するものである。
【０００２】
【従来の技術】
従来、合成樹脂製パレットのコーナー部の上部及び下部に、巻回されるストレッチフィルムが引っ掛かるように、凸部を形成した合成樹脂製パレットが知られている（例えば、実用新案登録第２５２０４５５号公報）。
【０００３】
【発明が解決しようとする課題】
上述した従来の合成樹脂製パレットにおいては、合成樹脂製パレットを物品ごと梱包したストレッチフィルムは、上部に位置する凸部に引っ掛かっているだけであるので、合成樹脂製パレットのフォーク差し込み口にフォークを差し込んで、合成樹脂製パレットを持ち上げる際のフォークの上方への移動により、フォーク差し込み口に懸かっているストレッチフィルムが捲くり上げられて、凸部に引っ掛かっているストレッチフィルムが、凸部から外れるとい問題があった。また、ストレッチフィルムが、上部に位置する凸部に引っ掛かっているだけであるので、合成樹脂製パレットの移送中に合成樹脂製パレットに載置されている物品が揺れて、ストレッチフィルムが弛み、凸部に引っ掛かっているストレッチフィルムが、凸部から外れるとい問題があった。
【０００４】
本発明の目的は、上述した従来の合成樹脂製パレットが有する課題を解決することにある。
【０００５】
【課題を解決するための手段】
本発明は、上述した目的を達成するために、隅桁と中間桁と中央桁とを有する合成樹脂製パレットにおいて、前記隅桁の外側角部に、上端部凸部、中間部凸部及び下端部凸部を形成することにより、前記上端部凸部と前記中間部凸部との間及び前記中間部凸部と前記下端部凸部との間には、それぞれ、凹部が設けられており、前記凹部は、前記隅桁の周面から、前記隅桁の外側角部の垂直中心線方向に向かって、徐々に深くなるように構成されているとともに、前記上端部凸部の前記垂直中心線付近を、下方に山形状に出っ張った上端部凸部として形成し、また、前記中間部凸部の前記垂直中心線付近を、上下方向に山形状に出っ張った中間部凸部として形成し、更に、前記下端部凸部の垂直中心線付近を、上方に山形状に出っ張った下端部凸部として形成おり、ストレッチフィルムの巻付け工程において、一巻目のストレッチフィルムが、前記上端部凸部及び前記中間部凸部の両方の凸部を覆うように巻回された際には、前記一巻目のストレッチフィルムが、前記上端部凸部及び前記中間部凸部の両方の凸部に引っ掛かるように構成したものである。
【０００６】
【実施例】
以下に、本発明の実施例について説明するが、本発明の趣旨を越えない限り何ら、本実施例に限定されるものではない。
【０００７】
先ず最初に、図１を用いて、本発明の合成樹脂製パレット（以下、単に、パレットともいう。）Ｐの一例として、合成樹脂で、それぞれ、一体に成形された半製品である上部スキッドＳ１と下部スキッドＳ２とを、桁部で溶着することにより形成されるパレットＰについて説明する。
【０００８】
平面形状が方形状の上部スキッドＳ１は、四隅に形成された隅桁部１ａ’と、隅桁部１ａ’の中間に形成された中間桁部１ｂ’と、中央部に形成された中央桁部（図示されていない。）とを有し、また、同じく、平面形状が方形状の下部スキッドＳ２は、四隅に形成された隅桁部１ａ”と、隅桁部１ａ”の中間に形成された中間桁部１ｂ”と、中央部に形成された中央桁部（図示されていない。）とを有しており、上部スキッドＳ１と下部スキッドＳ２とは、それぞれ、合成樹脂で一体に成形されている。そして、上部スキッドＳ１の隅桁部１ａ’の端面、中間桁部１ｂ’の端面及び中央桁部の端面と、下部スキッドＳ２の隅桁部１ａ”の端面、中間桁部１ｂ”の端面及び中央桁部の端面とを、それぞれ、互いに溶着することにより、両面使用のパレットＰが形成される。
【０００９】
上述したようにして形成されたパレットＰは、上部デッキボードｐ１と下部デッキボードｐ２と、四隅に形成された隅桁部１ａ’、１ａ”からなる筒状の隅桁１ａと、隅桁１ａの中間に形成された中間桁部１ｂ’、１ｂ”とからなる筒状の中間桁１ｂと、中央桁部（図示されていない。）とからなる筒状の中央桁とを有するとともに、隅桁１ａと中間桁１ｂとの間及び中間桁１ｂと中央桁との間には、フォークリフトのフォークが挿入可能なフォーク差し込み口ｐ３が形成されている。そして、このような構成を有するパレットＰは、上部デッキボードｐ１に物品を載置することも、また、パレットＰを引っ繰り返して、下部デッキボードｐ２を上にして、その上に物品を載置することもできる、所謂、両面使用のパレットＰに形成されている。
【００１０】
パレットＰの角部を構成する隅桁１ａの外側角部２、即ち、パレットＰの対角線方向の角部には、垂直方向に、上端部凸部３ａ、中間部凸部３ｂ及び下端部凸部３ｃとが形成されている。これら上端部凸部３ａ、中間部凸部３ｂ及び下端部凸部３ｃは、上端部凸部３ａと中間部凸部３ｂとの間及び中間部凸部３ｂと下端部凸部３ｃとの間に、それぞれ、凹部４ａ、４ｂを設けることにより形成されている。
【００１１】
図２〜図５に示されている実施例においては、凹部４ａ、４ｂは、外側角部２の垂直中心線Ｌを挟んで、垂直中心線Ｌから所定の距離離れた位置の隅桁１ａの周面ｐ４を、垂直中心線Ｌ方向に向かって、徐々に深くすることにより形成されているとともに、凹部４ａ、４ｂの縦方向の幅ｗ１は、垂直中心線Ｌ方向に向かって、徐々に狭く形成されている。このような凹部４ａ、４ｂを形成することにより、上端部凸部３ａは、垂直中心線Ｌ付近が、下方に山形状に出っ張った上端部凸部３ａに形成された、また、中間部凸部３ｂは、垂直中心線Ｌ付近が、パレットＰの水平中心線Ｈを挟んで、上下方向に山形状に出っ張った中間部凸部３ｂに形成された、更に、下端部凸部３ｃは、垂直中心線Ｌ付近が、上方に山形状に出っ張った下端部凸部３ｃに形成されている。
【００１２】
上述した上端部凸部３ａと下端部凸部３ｃとは同一形状に形成されており、且つ、パレットＰの水平中心線Ｈを挟んで、線対称に配置されており、また、中間部凸部３ｂは、パレットＰの水平中心線Ｈを挟んで、線対称に形成されている。そして、上端部凸部３ａと中間部凸部３ｂと下端部凸部３ｃのパレットＰの垂直中心線Ｌに沿った幅ｗ２は、略同じになるように形成されている。上述したように、本実施例においては、パレットＰは、同一に成形された上部スキッドＳ１と下部スキッドＳ２とを溶着することにより形成されており、従って、上端部凸部３ａと下端部凸部３ｃとは同一形状に形成されており、また、上部スキッドＳ１と下部スキッドＳ２とが溶着されて形成される中間部凸部３ｂは、半製品の段階の上部スキッドＳ１及び下部スキッドＳ２においては、その垂直中心線Ｌに沿った幅は、上端部凸部３ａ及び下端部凸部３ｃの幅ｗ２の略半分に形成されている。
【００１３】
上部デッキボードｐ１に物品Ａが載置されたパレットＰを、所定の幅を有する帯状のストレッチフィルムを螺旋状に巻回して梱包する場合には、図３〜図５に示されているように、一巻目のストレッチフィルムＳにより、上端部凸部３ａと中間部凸部３ｂの両方の凸部３ａ、３ｂを覆うように巻回する。このように、一巻目のストレッチフィルムＳは、上端部凸部３ａと中間部凸部３ｂの両方の凸部３ａ、３ｂを覆うように巻回されているので、一巻目のストレッチフィルムが、上部に形成された１つの凸部を覆うように巻回されている従来のパレットに比べ、パレットＰのフォーク差し込み口ｐ３に差し込まれたフォークＦが上方に移動し、図５に示されているように、一巻目のストレッチフィルムＳが上方に持ち上げられても、一巻目のストレッチフィルムＳが、上端部凸部３ａと中間部凸部３ｂの両方の凸部３ａ、３ｂから外れるようなことがない。
【００１４】
また、パレットＰには、上端部凸部３ａと下端部凸部３ｃとの間に中間部凸部３ｂが形成されているので、パレットＰの外側角部２に外力が加わっても、上端部凸部３ａと中間部凸部３ｂと下端部凸部３ｃとの３面で受けるので、ストレッチフィルムＳが損傷するようなことが防止できる。
【００１５】
更に、一巻目のストレッチフィルムＳは、上端部凸部３ａと中間部凸部３ｂの両方の凸部３ａ、３ｂを覆うように巻回されて、上端部凸部３ａと中間部凸部３ｂの両方の凸部３ａ、３ｂに引っ掛かるので、ストレッチフィルムＳの巻付け工程において、ストレッチフィルムＳが上方に移動するようなことが防止でき、従って、ストレッチフィルムＳにより、確実に、上部デッキボードｐ１に載置された物品Ａを梱包することができ、ストレッチフィルムＳの巻回作業の作業性が向上する。
【００１６】
更にまた、上端部凸部３ａには、下方に山形状に出っ張って形成され、また、中間部凸部３ｂの下端辺も下方向に山形状に出っ張って形成されているので、上端部凸部３ａと中間部凸部３ｂの両方の凸部３ａ、３ｂを覆うように巻回された一巻目のストレッチフィルムＳの上方への移動が、より抑制され、従って、一巻目のストレッチフィルムＳが、上端部凸部３ａと中間部凸部３ｂの両方の凸部３ａ、３ｂから外れるようなことが、より確実に、防止できる。
【００１７】
図６に示されている実施例においては、上端部凸部３ａと中間部凸部３ｂとの間及び中間部凸部３ｂと下端部凸部３ｃとの間に形成される凹部４ａ、４ｂが、上述した実施例と同様に、外側角部２の垂直中心線Ｌを挟んで、垂直中心線Ｌから所定の距離離れた位置のパレットＰの隅桁１ａの周面ｐ４を、垂直中心線Ｌ方向に向かって、徐々に深くすることにより形成されているが、凹部４ａ、４ｂの縦方向の幅ｗ１は、上述した実施例と異なり、垂直中心線Ｌ方向に向かって略同じ幅に形成されているものである。従って、上端部凸部３ａ、中間部凸部３ｂ及び下端部凸部３ｃには、上述した実施例のような、山形状の出っ張りは形成されておらず、横長の矩形状に形成されている。上述した実施例にように、上端部凸部３ａ及び中間部凸部３ｂに、下方向の山形状の出っ張りが形成されているものに比べ、一巻目のストレッチフィルムＳの上方への移動の抑制力は弱いが、従来のパレットのように、一巻目のストレッチフィルムＳが上方に持ち上げられても、一巻目のストレッチフィルムＳが、上端部凸部３ａと中間部凸部３ｂの両方の凸部３ａ、３ｂから外れるようなことはない。
【００１８】
なお、上述した実施例には、パレットＰが、上部スキッドＳ１と下部スキッドＳ２と溶着することにより形成される例が示されているが、パレットＰを一体に成形することもできる。
【００１９】
【発明の効果】
本発明は、以上説明した構成を有しているので、以下に記載する効果を奏するものである。
【００２０】
外側角部に、上端部凸部、中間部凸部及び下端部凸部が形成されているので、一巻目のストレッチフィルムが上方に持ち上げられても、一巻目のストレッチフィルムが、上端部凸部と中間部凸部の両方の凸部から外れるようなことが防止できる。
【００２１】
外側角部に、上端部凸部、中間部凸部及び下端部凸部が形成されているので、合成樹脂製パレットの外側角部に外力が加わっても、上端部凸部と中間部凸部と下端部凸部との３面で受けるので、ストレッチフィルムが損傷するようなことが防止できる。
【００２２】
外側角部に、上端部凸部、中間部凸部及び下端部凸部が形成されているので、ストレッチフィルムの巻付け工程において、ストレッチフィルムが上方に移動するようなことが防止でき、従って、ストレッチフィルムにより、確実に、上部デッキボードに載置された物品を梱包することができ、ストレッチフィルムの巻回作業の作業性が向上する。
【００２３】
上端部凸部は、下方に山形状に出っ張っており、また、中間部凸部は、上下方向に山形状に出っ張っており、更に、下端部凸部は、上方に山形状に出っ張っているので、上端部凸部と中間部凸部の両方の凸部を覆うように巻回された一巻目のストレッチフィルムの上方への移動が、より抑制され、従って、一巻目のストレッチフィルムが、上端部凸部と中間部凸部の両方の凸部から外れるようなことが、より確実に、防止できる。
【図面の簡単な説明】
【図１】図１は本発明の合成樹脂製パレットの斜視図である。
【図２】図２は本発明の合成樹脂製パレットの外側角部の斜視図である。
【図３】図３は物品が載置されているとともにストレッチフィルムが巻回された状態の本発明の合成樹脂製パレットの部分正面図である。
【図４】図４は物品が載置されているとともにストレッチフィルムが巻回された状態の本発明の合成樹脂製パレットの外側角部を斜めから見た部分図である。
【図５】図５はフォークによりストレッチフィルムが持ち上げられた状態の本発明の合成樹脂製パレットの部分正面図である。
【図６】図６は本発明の別の実施例の合成樹脂製パレットの外側角部の斜視図である。
【符号の説明】
Ｓ１・・・・・・・・・・上部スキッド
Ｓ２・・・・・・・・・・下部スキッド
３ａ・・・・・・・・・・上端部凸部
３ｂ・・・・・・・・・・中間部凸部
３ｃ・・・・・・・・・・下端部凸部
【図１】
0004428474.tif 000002
【図２】
0004428474.tif 000003
【図３】
0004428474.tif 000004
【図４】
0004428474.tif 000005
【図５】
0004428474.tif 000006
【図６】
0004428474.tif 000007